(57)【要約】  【課題】１つの封筒によって往信及び返信の双方を行うことができる往復封筒に関し、送信時と返信時の宛先や宛名等の郵便情報や切手貼付欄等の問題にも対応することはができ、きわめて実用的な往復封筒を提供することを課題とする。  【解決手段】合成樹脂製フィルムで構成された封筒本体と、該封筒本体内に封入される封入物に巻き付けるように、折曲部を介して２つ折り可能に形成され、２つ折りされた状態における一片と他片とに、それぞれ往信用の宛先宛名表示欄と返信用の宛先宛名表示欄とが表示されて構成された宛先宛名表示用シートとを具備し、前記宛先宛名表示用シートの往信用の宛先宛名表示欄及び返信用の宛先宛名表示欄を外部に現出させることのできる透明窓が、封筒本体に形成されていることを特徴とする。【選択図】図１
2009292494.tif 000002
【特許請求の範囲】
【請求項１】
合成樹脂製フィルムで構成された封筒本体（１）と、該封筒本体（１）内に封入される封入物に巻き付けるように、折曲部（１９）を介して２つ折り可能に形成され、２つ折りされた状態における一片（２０ａ）と他片（２０ｂ）とに、それぞれ往信用の宛先宛名表示欄（２１ａ）と返信用の宛先宛名表示欄（２１ｂ）とが表示されて構成された宛先宛名表示用シート（１８）とを具備し、前記宛先宛名表示用シート（１８）の往信用の宛先宛名表示欄（２１ａ）及び返信用の宛先宛名表示欄（２１ｂ）を外部に現出させることのできる透明窓（１６）が、封筒本体（１）に形成されていることを特徴とする往復封筒。
【請求項２】
合成樹脂製フィルムで構成された封筒本体（１）の開口部（４）から該封筒本体（１）の一片（１ａ）と他片（１ｂ）とが延長されて、往信時に封筒本体（１）を封緘する往信用の封緘片（３ａ）と、返信時に封筒本体（１）を封緘する返信用の封緘片（３ｂ）とが形成され、前記往信用の封緘片（３ａ）が前記返信用の封緘片（３ｂ）よりも長く形成されていることを特徴とする往復封筒。
【請求項３】
往信後、返信時において、往信用の封緘片（３ａ）を切り取るための切取部（９）が、前記往信用の封緘片（３ａ）の根元部であって、返信時に返信用の封緘片（３ｂ）によって覆うことができる位置に形成されている請求項２記載の往復封筒。
【発明の詳細な説明】
【技術分野】
【０００１】
本発明は、往復封筒、さらに詳しくは、１つの封筒によって往信及び返信の双方を行うことができる往復封筒に関する。
【背景技術】
【０００２】
周知のように、往復通信のための通信媒体として往復葉書が広く用いられているが、封筒の場合には往復通信用としては現在ごく一部のものしか用いられていない。
【０００３】
その一例として、たとえば返信用の封筒を封入物とともに往信用の封筒内に封入して用いられるものがある。この種の封筒は、たとえば商品等に関する説明書きを封入物として封筒内に封入するとともに、その商品等の購入の申込を行うための書簡を返信用封筒に封入し、たとえば商品購買のためのダイレクトメール用等として用いられる。
【０００４】
この種の封筒は、商品購買ダイレクトメール用以外の用途でも用いられることがあるが、いずれにしても往信用の封筒とは別に返信用の封筒を準備しなければならないため、往信用の封筒と返信用の封筒との印刷も別々に行わなければならず、全体としての製造コストが一般の封筒に比べて増大することとなっていた。
【０００５】
そこで、このような問題点を解決するために、１つの封筒によって往信及び返信の双方を行うことができる往復封筒が開発され、そのような往復封筒として、たとえば下記特許文献１及び２のような特許出願がなされている。
【０００６】
この特許文献１に係る発明は、当該特許文献１の請求項１に記載されているように、「封筒の中に入れたアンケートの回答用紙やダイレクトメールで返事などを求める通知文を送信しかつ返信する郵送方法において、前記送信用封筒の上端開封部を完全に切り取らずに開封して通知文を封筒の中から取り出し、該送信用封筒を返信用の封筒として再利用すること特徴とする送返信兼備の往復式郵送方法」と、請求項５に記載されているように、「送信用と返信用とを兼ね備えた往復式郵送用の封筒において、前記封筒裏側の上端に指先で開封可能な半円形状の開封部を形成しかつ封筒の裏側が上面になるようにフラップ部分の上面に糊付けしてなる往復式封筒本体を設け、該封筒本体の開口部を指先を左右に移動させて開封しかつフラップ部分を糊付けして返信することを特徴とする送返信兼備の往復式郵送用封筒。」を提供するものである。
【０００７】
また、特許文献２に係る発明は、当該特許文献２の請求項１に記載されているように、「１通の封筒で送信と返信ができるようにした」ものである。より具体的には、請求項２に記載されているように、「封筒の本体の表面又は裏面のどちらか一方又は両方に印刷する返信用郵便情報を送信時に目に見えない方法で送信し、また返信用郵便情報を目に見えるようにする方法で１通の送信封筒が返信封筒になる」ことを特徴とするものである。
【０００８】
これら特許文献１や特許文献２に記載された封筒は、従来のごく一般的な形態の封筒を、そのまま往復封筒として使用しているにすぎないものである。従って、実際に往復封筒として使用する場合に種々の問題に遭遇し、そのために、現実には実用化が困難となっていたものである。
【０００９】
たとえば特許文献２の請求項２には、「返信用郵便情報を送信時には目に見えない方法で送信し、返信時には目に見える方法で返信する」旨が記載されているが、これは宛先や宛名等の郵便情報を、送信時と返信時のそれぞれに必要で、郵便局において混乱が生じないよう、送信時には返信用の宛先や宛名等をいかにして覆い隠し、また返信時には、その宛先、宛名等をいかにして見えるようにするかという問題に着眼したものである。
【００１０】
しかし、特許文献２に係る発明では、このような問題を解決する具体的な手段が、必ずしも明らかにされていない。実際、上記特許文献１や特許文献２に記載された封筒では、封筒本体の表片側と裏片側とのそれぞれに送信時と返信時の宛先や宛名等の郵便情報が表示されているので、上記のように「返信用郵便情報を送信時には目に見えない方法で送信し、返信時には目に見える方法で返信する」ことは必ずしも容易ではない。
【００１１】
さらに、往復封筒といえども、あくまで郵便物であるので、切手の貼付や消印などの問題もある。この種の往復封筒は、たとえばダイレクトメールや、レンタルのデジタルビデオディスク（以下、ＤＶＤという）等を取り扱う事業者が送信者であるとともに、これらを受領した返信者は一般消費者であることが多い。そのため、
大量の郵便物をまとめて送信することで、送信者が切手の貼付することは免れるが、返信者が郵便で返信する場合には、切手の貼付が必要となる。この場合、上記特許文献１や特許文献２に記載された封筒では、送信時に切手貼付欄を覆い隠し、返信時に切手貼付欄を裸出させるようにするのは決して容易に行うことはできない。
【００１２】
【特許文献１】特開２００４−９１０４８号公報
【特許文献２】特開２００４−２２４４３４号公報
【発明の開示】
【発明が解決しようとする課題】
【００１３】
本発明は、このような点に鑑みてなされたもので、上記のような送信時と返信時の宛先や宛名等の郵便情報や切手貼付欄等の問題にも対応することはができ、きわめて実用的な往復封筒を提供することを課題とするものである。
【課題を解決するための手段】
【００１４】
本発明は、上記課題を解決するために、１つの側面において、合成樹脂製フィルムで構成された封筒本体と、該封筒本体内に封入される封入物に巻き付けるように、折曲部を介して２つ折り可能に形成され、２つ折りされた状態における一片と他片とに、それぞれ往信用の宛先宛名表示欄と返信用の宛先宛名表示欄とが表示されて構成された宛先宛名表示用シートとを具備し、前記宛先宛名表示用シートの往信用の宛先宛名表示欄及び返信用の宛先宛名表示欄を外部に現出させることのできる透明窓が、封筒本体に形成されていることを特徴とする往復封筒を提供するものである。
【００１５】
また本発明は、他の側面において、合成樹脂製フィルムで構成された封筒本体の開口部から該封筒本体の一片と他片とが延長されて、往信時に封筒本体を封緘する往信用の封緘片と、返信時に封筒本体を封緘する返信用の封緘片とが形成され、前記往信用の封緘片が前記返信用の封緘片よりも長く形成されていることを特徴とする往復封筒を提供するものである。
【発明の効果】
【００１６】
合成樹脂製フィルムで構成された封筒本体の開口部から該封筒本体の一片と他片とが延長されて、往信時に封筒本体を封緘する往信用の封緘片と、返信時に封筒本体を封緘する返信用の封緘片とが形成され、前記往信用の封緘片が前記返信用の封緘片よりも長く形成されていることによって、往信時には封筒本体の一片側から延長された往信用の封緘片によって、返信者において貼付される切手貼付欄を覆い隠すことができ、返信時には、往信用の封緘片を切断などによって除去し、封筒本体の他片側から延長された返信用の封緘片を往信時とは反対側へ折り曲げて封筒本体を封緘することにより、切手貼付欄を容易に裸出させることができる。
【００１７】
また、合成樹脂製フィルムで構成された封筒本体と、該封筒本体内に封入される被封入物に巻き付けるように、折曲部を介して２つ折り可能に形成され、２つ折りされた状態における一片と他片とに、それぞれ往信用の宛先宛名表示欄と返信用の宛先宛名表示欄とが表示されて構成された宛先宛名表示用シートとを具備させ、前記宛先宛名表示用シートの往信用の宛先宛名表示欄及び返信用の宛先宛名表示欄を外部に現出させることのできる透明窓を封筒本体に形成することによって、たとえばＤＶＤ等の厚みのある封入物を用いる場合、その封入物に、上記宛先宛名表示用シートを２つ折り状態で巻き付け、その宛先宛名表示用シートの往信用の宛先宛名表示欄を透明窓から現出させることで往信用として用いることができ、また返信時には、宛先宛名表示用シートを反転させて返信用の宛先宛名表示欄を透明窓から現出させるように、封入物に宛先宛名表示用シートを２つ折り状態で巻き付けることによって、返信用として用いることができる。
【００１８】
このように、厚みのある封入物に２つ折り状態で巻き付けるという予測できない装着方法で用いられる宛先宛名表示用シートの、一片側及び他片側に表示された往信用及び返信用の宛先宛名表示欄を、それぞれ往信時及び返信時に反転させて巻き付ける状態で透明窓から現出させることによって、往信時には往信用の宛先宛名表示欄のみを表示した状態で通信し、返信時には返信用の宛先宛名表示欄のみを表示した状態で通信することができ、その結果、従来の往復封筒のように、封筒本体の表裏にそれぞれ宛先宛名表示欄を設ける必要がなく、また、そのように表裏にそれぞれ表示された宛先宛名表示欄を、往信時及び返信時にかにして覆い隠すかという難解な問題に遭遇することもないのである。
【発明を実施するための最良の形態】
【００１９】
以下、本発明の実施形態について図面に従って説明する。
【００２０】
本実施形態の往復封筒の封筒本体１は、図１乃至図３に示すように、該封筒本体１を構成する表裏両片１ａ，１ｂ の両側縁部２ａ，２ｂが 熱、超音波等によって溶断シールされているとともに、底部２ｃにおいて２つに折り曲げられて全体が正方形に近い縦長の長方形の袋状に形成されている。
【００２１】
本実施形態の封筒本体１は、全体が１枚の合成樹脂製フィルムで構成されている。この袋本体１を構成する合成樹脂製フィルムの表裏両面には、印刷が施されている。合成樹脂としては種々の素材のものを使用することができるが、ポリエチレンやポリプロピレンが主として使用され、特に透明性に優れ、印刷効果が優れていることから、ポリプロピレンを好適に使用することができる。
【００２２】
封筒本体１の一片１ａは、図１乃至図３に示すように、袋本体１の上部の開口部４から延出され、その延出された部分が往信用の封緘片３ａとして形成されている。また、封筒本体１の他片１ｂも、前記開口部４から延出され、その延出された部分が返信用の封緘片３ｂとして形成されている。ここで、前記封筒本体１の一片１ａ側から延出された往信用の封緘片３ａは、他片１ｂ側から延出された返信用の封緘片３ｂよりも長く形成されている。
【００２３】
往信用の封緘片３ａの上部内面側には、図３に示すように、接着剤５を介して離型材６が設けられている。また返信用の封緘片３ｂの内面側にも、接着剤７を介して離型材８が設けられている。ここで、往信用の封緘片３ａの上部内面側と、接着剤５との間には、図示はしないが、開封識別用のインクが塗布されている。
【００２４】
往信用の封緘片３ａの根元部には、図２に示すように、該往信用の封緘片３ａを切り取るための切取部９が形成されている。この切取部９は、浅いミシン目が刻設されることによって形成されているが、実際にははさみ等の切断用具を用いて切断され、ミシン目のみで切断できないように形成されている。これは、往信時において、封緘片３ａがミシン目の位置で不可抗力によって切断されないようにするためである。
【００２５】
また、封筒本体１の一片１ａ側には、この往復封筒の使用方法の操作手順を表示する操作手順表示部１０ａ、１０ｂ、１０ｃ、１０ｄが表示されている。本実施形態においては、図２に示すように、４コマの操作手順表示部１０ａ、１０ｂ、１０ｃ、１０ｄが設けられている。
具体的には、１コマ目の操作手順表示部１０ａには、返信者が往復封筒を受領した後に、後述する開封起点表示部１３から開封する操作が図示されており、２コマ目の操作手順表示部１０ｂには、開封後に切取部９から往信用の封緘片３ａを切り取る操作が図示されており、３コマ目の操作手順表示部１０ｃには、後述する宛先宛名表示用シート１８を反転させて、往信用の宛先宛名表示欄２１ａと返信用の宛先宛名表示欄２１ｂの向きを変える操作が図示されており、４コマ目の操作手順表示部１０ｃには、後述する切手貼付欄１５が裸出するように、返信用封緘片３ｂによって封筒本体１を封緘し、投函する操作が図示されている。
【００２６】
さらに、封筒本体１の一片１ａ側及び他片１ｂ側の底部には、返信後に往信者が封入物を取り出すべく開封するためのミシン目１１が形成されている。また、封筒本体１の一片１ａ側には、往復利用注意喚起表示部１２が設けられている。具体的には「往復で利用するため、捨てないでください」等の文言が表示されている。さらに、封筒本体１の一片１ａ側から延出された封緘片３ａの先端部の一端側には、封緘片３ａを封筒本体１から剥離して開封する際の起点となる開封起点表示部１３が設けられている。
【００２７】
封筒本体１の他片１ｂ側には、図１に示すように、返信時の折り曲げ位置となる折曲表示部１４が設けられている。また、封筒本体１の他片１ｂ側には、返信時に切手を貼付するための切手貼付欄１５が設けられている。
【００２８】
さらに、封筒本体１の他片１ｂ側には、透明窓１６が形成されている。この透明窓１６は、後述する宛先宛名表示用シートの往信用の宛先宛名表示欄及び返信用の宛先宛名表示欄を外部に現出させるためのものである。この透明窓１６は、印刷のために着色された封筒本体１の他片１ｂ側の比較的下部において、着色されていない合成樹脂製フィルム本来の透明な部分を残存させることによって形成されている。
【００２９】
さらに、封筒本体１の他片１ｂ側のミシン目１１より下部には、取扱注意喚起表示部１７が設けられている。たとえば「ワレモノ注意」等の表示である。
さらに、封筒本体１の他片１ｂ側における前記折曲表示部１４のわずか上側には、印刷インクで着色された不透明部分と、着色されずに合成樹脂製フィルムの素材のままの透明部分との境界線となる境界線部２８が設けられている。すなわち、この境界線部２８よりも下側の部分であって、前記透明窓１６を除く部分は印刷インクで着色されて不透明な状態とされ、前記境界線部２８よりも上側の、主として返信用封緘片３ｂの部分は透明な状態とされている。これは、返信時に返信用封緘片３ｂで封筒本体１を封緘するとき、封筒本体１の一片１ａ側の必要な印刷表示等が覆い隠されないようにするためである。
一方、封筒本体１の一片１ａ側は、全面が印刷インクで着色されている。これは、後述するように、往信時において、返信用の切手貼付欄１５が往信用の封緘片３ａによって確実に覆い隠されるようにするためである。
【００３０】
本実施形態の封筒には、上記のような封筒本体１とは別に、宛先宛名表示用シート１８が具備されている。この宛先宛名表示用シート１８は、図４に示すように、折曲部１９を介して２つ折り可能な一片２０ａ及び他片２０ｂによって構成されている。該宛先宛名表示用シート１８の一片２０ａには、往信用の宛先宛名表示欄２１ａが設けられており、宛先宛名表示用シート１８の他片２０ｂには、返信用の宛先宛名表示欄２１ｂが設けられている。
【００３１】
この他、宛先宛名表示用シート１８の一片２０ａ側には、メモ欄２２、管理番号表示欄２３、バーコード表示欄２４が設けられている。また、宛先宛名表示用シート１８の他片２０ｂ側には、返送面であることを表示する返送面表示部２５が設けられている
【００３２】
そして、上記のような構成からなる往復封筒を使用する場合について説明すると、先ず図５に示すように、開口部４から封筒本体１内に封入物２６を収納する。本実施形態では、封入物２６として、ケースに収納されたＤＶＤが用いられる。この場合の往信者は、たとえばＤＶＤレンタルの事業者であり、返信者はＤＶＤの貸与を受ける一般消費者である。
【００３３】
この場合、封入物２６には、図５に示すように、宛先宛名表示用シート１８を２つ折りにした状態で巻き付ける。このとき、宛先宛名表示用シート１８の一片２０ａ側を、封筒本体１の他片１ｂ側に向けることによって、該宛先宛名表示用シート１８の一片２０ａ側に表示された往信用の宛先宛名表示欄２１ａが、図６のように透明窓１６が現出されることとなる。
【００３４】
この状態で、往信用の封緘片３ａ上の離型材６を剥離し、図６及び図７に示すように、該往信用の封緘片３ａを封筒本体１の他片１ｂ側に折り曲げ、接着剤５を介して往信用の封緘片３ａを封筒本体１の他片１ｂに接着する。このとき、返信用の封緘片３ｂは使用されるわけではないが、往信用の封緘片３ａを折り曲げることに伴って、同方向に折り曲げされることとなる。
【００３５】
この場合において、往信用の封緘片３ａが、返信用の封緘片３ｂよりも長く形成されているため、往信用の封緘片３ａを封筒本体１の他片１ｂ側に接着した状態で、往信用の封緘片３ａが返信用の封緘片３ｂを覆い隠すこととなり、返信用の封緘片３ｂが外部に裸出することがない。
【００３６】
また、封筒本体１は全体が合成樹脂製フィルムで構成されているため、上記のように往信用の封緘片３ａを折り曲げた状態において、同方向に折り曲げられた返信用の封緘片３ｂの復元力が往信用の封緘片３ａに作用するようなこともなく、従って、往信時において往信用の封緘片３ａが不用意に剥離するようなこともないのである。
【００３７】
これにより、封入物２６が封入された状態となって往信者から返信者に送信されることとなる。この場合、宛先宛名表示用シート１８の一片２０ａ側に表示された往信用の宛先宛名表示欄２１ａが、上記のように透明窓１６から現出された状態で往信されるので、往信用の宛先宛名の表示を施すことなく、封入物２６が確実に返信者に送信されることとなる。
【００３８】
さらに、封筒本体１の他片１ｂ側に設けられている切手貼付欄１５が、往信用の封緘片３ａによって覆い隠されるため、返信用のための切手貼付欄１５が、往信時において、不用意に消印などされることもないのである。
【００３９】
このようにして封入物２６が封入されて送信された往復封筒を受領した返信者は、
前記開封起点表示部１３を起点として往信用の封緘片３ａを封筒本体１の他片１ｂ側から剥離し、封筒本体１の開口部４から封入物２６を取り出して利用する。
この場合において、往信用の封緘片３ａの上部内面側と、接着剤５との間には、上記のように開封識別用のインクが塗布されているため、往信用の封緘片３ａを封筒本体１の他片１ｂ側から剥離することによって、往信用の封緘片３ａの内面側に設けられていた上記開封識別用のインクが、剥離後には封筒本体１の他片１ｂ側に転移することとなる。従って、この開封識別用のインクと、封筒本体１の他片１ｂ側の不透明部分を構成する印刷インクとの色を変えておくことによって、上記のように開封識別用のインクが往信用の封緘片３ａから封筒本体１の他片１ｂ側に転移し、封筒本体１の他片１ｂ側に残存している状態を容易に確認することができ、開封された事実を、外観上容易に確認することができる。
【００４０】
一方、利用後に封入物２６を返送する場合には、先ず図８に示すように、往信用の封緘片３ａを封筒本体１の一片１ａから切り取る。すなわち、往信用の封緘片３ａは上述のように返信用の封緘片３ｂよりも長く形成されているため、往信用の封緘片３ａが残存していると、返信時において、返信用の封緘片３ｂによって往信用の封緘片３ａを覆い隠すことができないからである。
【００４１】
そして、返信者は、図８に示すように、利用後の封入物２６であって、２つ折り状態の宛先宛名表示用シート１８を巻き付けた封入物２６を、開口部４から封筒本体１内に収容する。この場合において、返信者は、往信時とは逆向き、すなわち返信用の宛先宛名表示欄２１ｂが設けられた宛先宛名表示用シート１８の他片２０ｂ側を封筒本体１の他片１ｂ側に対面させるようにして、すなわち、宛先宛名表示用シート１８の向きを往信時から反転させた状態にして、宛先宛名表示用シート１８を巻き付けた封入物２６を封筒本体１内に収納する。
【００４２】
次に、離型材８を剥離し、図９及び図１０に示すように、返信用の封緘片３ｂを封筒本体１の他片１ｂ側に折り曲げ、接着剤７を介して返信用の封緘片３ｂを封筒本体１の一片１ａに接着する。このとき、返信用の封緘片３ｂの根元部には、折曲表示部１４が設けられているため、その折曲表示部１４の位置に沿って、返信用の封緘片３ｂを封筒本体１の一片１ａ側へ容易に折り曲げることができる。
【００４３】
さらに、返信用の封緘片３ｂは、往信時の往信用封緘片３ａとは逆向きに封筒本体１の一片１ａ側に折り返されるので、封筒本体１の他片１ｂ側に設けられた切手貼付欄１５が返信用の封緘片３ｂによって覆い隠されるようなことは全くなく、図９に示すように切手貼付欄１５が完全に裸出された状態で返信されることとなる。
【００４４】
さらに、封入物２６に巻き付けられた宛先宛名表示用シート１８は、返信用の宛先宛名表示欄２１ａが表示された他片２０ｂ側が、透明窓１６が存在する封筒本体１の他片１ｂ側に対面するようにして封筒本体１内に収納されているので、図９に示すように、返信用の宛先宛名表示欄２１ａが透明窓１６を介して現出した状態で返信されることとなる。
そして、このような返信者によってなすべき返信のための一連の操作は、上記のような４コマの操作手順表示部１０ａ、１０ｂ、１０ｃ、１０ｄで順次表示されているので、返信者は、返信時における往復封筒の使用方法を容易に理解することができ、正しい操作で確実に往信者に返信することができる。
【００４５】
このようにして封入物２６が封入されて返信される往復封筒は、その封筒本体１の他片１ｂ側の透明窓１６の部分に返信用の宛先宛名表示欄２１ｂに予め表示された往信者の住所、名称が透視されて現出された状態で返信されるので、往信者あてに確実に返信されることとなる。
また、上記のように往信用の封緘片３ａの剥離後に、封筒本体１の他片１ｂ側に転移した開封識別用のインクが、封筒本体１の他片１ｂ側に残存したままの状態で往信者に返信されるので、往信者においては、所定の返信者に対して所定のＤＶＤが間違いなく送信された事実や、その所定の返信者から間違いなく返信された事実を、その封筒本体１の他片１ｂ側に残存している開封識別用のインクによって確認することができ、単に往復封筒の不正使用を防止できるのみならず、往復通信が確実になされた事実を往信者において容易に把握することができるのである。
そして、このように返信された往復封筒を受領した往信者は、図１１及び図１２に示すように、封筒本体１の下部に形成されたミシン目１１を介して封筒本体１を分断する。同図のように、分断された分断片２７を除去することで、開口した封筒本体１の底部側から封入物２６を巻き付けている宛先宛名表示用シート１８が裸出することとなり、その宛先宛名表示用シート１８が巻き付けられたままの状態で、開口した封筒本体１の底部側から封入物２６を取り出すことができる。
【００４６】
すなわち、返信後においては、往信者は返送された封入物２６を回収すれば目的を達成することができるので、往信者が受領した往復封筒は、もはや再度使用されることがない。従って、往信者にとって、返信用の封緘片３ｂを封筒本体１から剥離するという煩雑な作業を行うよりも、上記のようにミシン目１１を介して封筒本体１の底部を分断するという作業を選択することによって、返信後の開封作業を容易に行うことができるのである。
また、このようにして封筒本体１の底部を開封して封入物２６を取り出すことで、その封入物２６に巻き付けられた宛先宛名表示用シート１８も同時に取り出すことができる。従って、往信者においては、封入物２６の回収を容易に行うとともに、宛先宛名表示用シート１８の回収も同時に行うことができる。
しかも、宛先宛名表示用シート１８は、往信用の住所、名称が表示された返信用の宛先宛名表示欄２１ｂが設けられた他片２０ｂと、返信者の住所、氏名が表示された往信用の宛先宛名表示欄２１ａが設けられた一片２０ａとが、分断等されることなく、２つ折りされたままの状態で返送されてくるので、どの返信者から封入物２６が返信されたかを、容易に確認することができる。
さらに、宛先宛名表示用シート１８の一片２０ａ側には、返信者の住所、氏名が表示された往信用の宛先宛名表示欄２１ａのみならず、メモ欄２２、管理番号表示欄２３、バーコード表示欄２４が設けられているため、往信者は、メモ欄２２に記載された返信者からの意見、気づいた点等を容易に把握することができ、また管理番号表示欄２３やバーコード表示欄２４によって、たとえば予め管理された返信者の氏名やＤＶＤの種別などであって、返信されてきた返信者の氏名やＤＶＤの種別などを容易に確認することができる。
【００４７】
以上のように、本実施形態においては、往信時には往信用封緘片３ａを用いて封筒本体１を封緘し、返信時には返信用封緘片３ｂを用いて封筒本体１を封緘することができるので、往信時においては返信時に用いられる切手貼付欄１５を完全にお覆い隠した状態で往信することができるとともに、返信時においては返信用封緘片３ｂを、往信時の往信用封緘片３ａとは逆向きに折り曲げることによって、切手貼付欄１５を完全に裸出させた状態で返信することができるので、切手貼付欄１５に誤って或いは不用意に消印されるような事態を生じさせることなく、往復通信を行うことができる。
【００４８】
また、一片２０ａ側に往信用の宛先宛名表示欄２１ａが設けられているとともに、他片２０ｂ側に返信用の宛先宛名表示欄２１ｂが設けられた該宛先宛名表示用シート１８を、２つ折り状態にして封入物２６に巻き付けた状態で封筒本体１内に収納するので、往信時には往信用の宛先宛名表示欄２１ａが封筒本体１の窓部１６から現出され、返信時には返信用の宛先宛名表示欄２１ｂが封筒本体１の窓部１６から現出されるように、往信時と返信時とで向きを変えて宛先宛名表示用シート１８を封入物２６に巻き付けて往復通信することができ、その結果、往信時の宛先宛名や返信時の宛先宛名を封筒本体１に直接印刷等によって表示することが不要となる。
【００４９】
尚、上記実施形態では、封筒本体１の開口部４が該封筒本体１の上部に形成されていたが、上部に限らず、側部に形成されていてもよい。
【００５０】
また、上記実施形態では、合成樹脂製フィルムとして、ポリプロピレンフィルムを用いたが、本発明にかかる合成樹脂製フィルムは、プロピレンフィルムに限定されるものではなく、たとえば、ポリエチレンフィルムを使用することも可能であり、さらにはそれ以外の合成樹脂製フィルムを使用することも可能である。
【００５１】
さらに、上記実施形態では、封入物２６としてＤＶＤを用いる場合について説明したが、封入物２６の種類は上記実施形態のＤＶＤに限定されるものではなく、他の封入物に本発明を適用することも可能である。
【００５２】
尚、封筒本体１の一片１ａ及び他片１ｂに表示される表示事項も上記実施形態に限定されるものではない。
【図面の簡単な説明】
【００５３】
【図１】一実施形態としての往復封筒の正面図。
【図２】同背面図。
【図３】図１のＡ−Ａ線断面図。
【図４】宛先宛名表示用シートの正面図。
【図５】往信前に封入物を収納した状態を示す断面図。
【図６】往信用封緘片で封筒本体を封緘した状態を示す正面図。
【図７】図６のＢ−Ｂ線断面図。
【図８】返信前に往信用封緘片を切断した状態を示す断面図。
【図９】返信用封緘片で封筒本体を封緘した状態を示す正面図。
【図１０】図９のＣ−Ｃ線断面図。
【図１１】返信後に封筒本体の底部を分断した状態の正面図。
【図１２】図１１のＤ−Ｄ線断面図。
【符号の説明】
【００５４】
１    封筒本体
１ａ  一片
１ｂ  他片
３ａ  往信用封緘片
３ｂ  返信用封緘片
４    開口部
９    切取部
１１    ミシン目
１６    窓部
１８    宛先宛名表示用シート
２０ａ  一片
２０ｂ  他片
２１ａ  往信用の宛先宛名表示欄
２１ｂ  返信用の宛先宛名表示欄
２６    封入物
【図１】
2009292494.tif 000003
【図２】
2009292494.tif 000004
【図３】
2009292494.tif 000005
【図４】
2009292494.tif 000006
【図５】
2009292494.tif 000007
【図６】
2009292494.tif 000008
【図７】
2009292494.tif 000009
【図８】
2009292494.tif 000010
【図９】
2009292494.tif 000011
【図１０】
2009292494.tif 000012
【図１１】
2009292494.tif 000013
【図１２】
2009292494.tif 000014